(57)【要約】【課題】ビデオ信号の送受信が可能に接続され、それぞれにテレビチューナを備える第１と第２の電子機器の間のチャンネル設定を同じにする。【解決手段】ビデオ信号の送受信が可能に接続された第１と第２の電子機器１，２の各個にテレビチューナ１１，２１とチャンネル設定機能が設けられている場合に、一方の電子機器においてテレビチャンネルの設定を行うと、このテレビチャンネルの設定結果が、チャンネル設定を行った側の電子機器に設定されると共に、設定を行わなかった側の電子機器に転送されてチャンネル設定が実行され、２つの電子機器のチャンネル設定を同時に行うことができる情報処理システム、情報処理装置、表示装置、及び情報処理システムのチャンネル設定方法である。２つの電子機器には、パーソナルコンピュータ本体とこれに接続する表示器、或いはテレビとこれに接続するビデオ装置等がある。【選択図】図２
2007209015.tif 000002
【特許請求の範囲】
【請求項１】
入力手段から入力されたデータを、第１の演算処理手段を用いて演算処理する情報処理装置と、前記情報処理装置に接続され、前記情報処理装置から入力されたデータを第２の演算処理手段を用いて表示する表示装置とを備えた情報処理システムであって、
前記情報処理装置は、
同調周波数と局番号との対応を示す第１のチャンネル設定データを格納する第１の記憶手段と、
前記第１のチャンネル設定データに基づいて放送に同調可能な第１のチューナとを備え、
前記第１の演算処理手段は、
前記入力手段により入力された第２のチャンネル設定データを前記第１の記憶手段に設定するとともに、前記第２のチャンネル設定データを前記表示装置に転送し、
前記表示装置は、
前記第２のチャンネル設定データを格納するための第２の記憶手段と、
前記第２のチャンネル設定データに基づいて放送に同調可能な第２のチューナと、
前記第２のチューナにより同調した放送を表示する表示手段とを備え、
前記第２の演算処理手段は、
前記情報処理装置から転送された前記第２のチャンネル設定データを前記第２の記憶手段に設定し、前記第２のチャンネル設定データを用いて、前記第２のチューナが同調した放送を前記表示手段に表示することを特徴とする情報処理システム。
【請求項２】
表示装置が接続され、入力されたデータを、演算処理手段を用いて演算処理し、前記演算処理の結果を前記表示装置に出力する情報処理装置であって、
同調周波数と局番号との対応を示すチャンネル設定データを入力するための入力手段と、
第１のチャンネル設定データを格納する第１の記憶手段と、
チャンネル設定データに基づいて放送に同調可能な第１のチューナとを備え、
前記演算処理手段は、
前記入力手段により入力された第２のチャンネル設定データを前記記憶手段に設定するとともに、前記第２のチャンネル設定データを前記表示装置に転送することを特徴とする情報処理装置。
【請求項３】
入力手段から入力されたデータを、演算処理手段を用いて演算処理するとともに、同調周波数と局番号との対応を示すチャンネル設定データに基づいて放送に同調可能な第１のチューナを有する情報処理装置に接続され、前記演算処理手段の前記演算処理の結果を表示する表示装置であって、
チャンネル設定データに基づいて放送に同調可能な第２のチューナと、
前記演算処理手段の演算処理の結果又は前記第２のチューナにより同調した放送を表示する表示手段と、
チャンネル設定データが格納された記憶手段と、
前記情報処理装置から、チャンネル設定データ受信依頼通知とともに転送された前記第２のチューナに対する新たなチャンネル設定データを前記記憶手段に設定するチャンネル設定データ書込み手段とを有し、
前記記憶手段に設定されたチャンネル設定データを用いて、前記第２のチューナが同調した放送を表示することを特徴とする表示装置。
【請求項４】
入力装置から入力されたデータを記憶装置に保持し、演算処理装置を用いて演算処理するとともに、同調周波数と局番号との対応を示すチャンネル設定データに基づいて放送に同調可能な第１のチューナを有する情報処理装置と、前記情報処理装置に接続され、前記演算処理装置の前記演算処理の結果を表示するとともに、チャンネル設定データに基づいて放送に同調可能な第２のチューナとを有する表示装置とを有し、前記第１又は第２のチューナが同調した放送を前記表示装置に表示する情報処理システムのチャンネル設定方法であって、
前記入力装置により入力された新たなチャンネル設定データを前記記憶装置に設定するステップと、
前記新たなチャンネル設定データを、前記演算処理装置がチャンネル設定データ受信依頼通知とともに、前記表示装置に転送するステップと、
前記新たなチャンネル設定データを用いて、前記第２のチューナが同調した放送を前記表示装置に表示するステップとを有することを特徴とする情報処理システムのチャンネル設定方法。
【請求項５】
入力されたデータを、第１の演算処理手段を用いて表示する表示装置と、前記表示装置に接続され、入力手段から入力されたデータを第２の演算処理手段を用いて演算処理する情報処理装置とを備えた情報処理システムであって、
前記表示装置は、
同調周波数と局番号との対応を示す第１のチャンネル設定データを格納する第１の記憶手段と、
前記第１のチャンネル設定データに基づいて放送に同調可能な第１のチューナと、
前記第１のチューナにより同調した放送を表示する表示手段とを備え、
前記第１の演算処理手段は、
前記入力手段により入力された前記第１のチャンネル設定データとは異なる第２のチャンネル設定データを前記第１の記憶手段に設定するとともに、前記第２のチャンネル設定データを前記情報処理装置に転送し、
前記情報処理装置は、
第２のチャンネル設定データを格納する第２の記憶手段と、
前記第２のチャンネル設定データに基づいて放送に同調可能な第２のチューナとを備え、
前記表示装置から転送された前記第２のチャンネル設定データを前記第２の記憶手段に設定し、前記第２のチャンネル設定データを用いて、前記第２のチューナが同調した放送を前記表示手段に表示することを特徴とする情報処理システム。
【請求項６】
情報処理装置に接続され、前記情報処理装置から入力されたデータを、演算処理手段を用いて表示する表示装置であって、
同調周波数と局番号との対応を示すチャンネル設定データを入力するための入力手段と、
前記チャンネル設定データに基づいて放送に同調可能な第１のチューナと、
前記第１のチューナに対する第１のチャンネル設定データが格納された記憶手段とを備え、
前記演算処理手段は、
前記入力手段により入力された第２のチャンネル設定データを前記記憶手段に設定するとともに、前記第２のチャンネル設定データを前記情報処理装置に転送することを特徴とする表示装置。
【請求項７】
同調周波数と局番号との対応を示すチャンネル設定データに基づいて放送に同調可能な第１のチューナを有する表示装置が接続され、入力されたデータを、演算処理手段を用いて演算処理し、前記演算処理の結果を前記表示装置に出力する情報処理装置であって、
チャンネル設定データに基づいて放送に同調可能な第２のチューナと、
第１のチャンネル設定データが格納された記憶手段と、
前記表示装置から、第２のチャンネル設定データがチャンネル設定データ受信依頼通知とともに転送された場合に、前記第２のチャンネル設定データを前記記憶手段に設定するチャンネル設定データ書込み手段とを有することを特徴とする情報処理装置。
【請求項８】
入力装置から入力されたデータを第１の記憶装置に保持し、演算処理装置を用いて表示するとともに、同調周波数と局番号との対応を示すチャンネル設定データに基づいて放送に同調可能な第１のチューナを有する表示装置と、前記表示装置が接続され、第２の記憶装置と、チャンネル設定データに基づいて放送に同調可能な第２のチューナとを有する情報処理装置とを有し、前記第１又は第２のチューナが同調した放送を前記表示装置に表示する情報処理システムのチャンネル設定方法であって、
前記入力装置により入力された新たなチャンネル設定データを前記第１の記憶装置に設定するステップと、
前記演算処理装置が前記第１の記憶装置から前記新たなチャンネル設定データを読み出すステップと、
読み出された前記新たなチャンネル設定データを、前記演算処理装置がチャンネル設定データ受信依頼通知とともに、前記情報処理装置に転送するステップと、
前記転送された新たなチャンネル設定データを、前記第２記憶装置に設定するステップを有することを特徴とする情報処理システムのチャンネル設定方法。
【請求項９】
第１の入力手段から入力されたデータを、第１の演算処理手段を用いて演算処理する情報処理装置と、前記情報処理装置に接続され、前記情報処理装置から入力されたデータを第２の演算処理手段を用いて表示する表示装置とを備えた情報処理システムであって、
前記情報処理装置は、
同調周波数と局番号との対応を示すチャンネル設定データを格納する第１の記憶手段と、
前記第１の記憶手段に格納されたチャンネル設定データに基づいて放送に同調可能な第１のチューナとを備え、
前記表示装置は、
第２の入力手段と、
チャンネル設定データを格納するための第２の記憶手段と、
前記第２の記憶手段に格納されたチャンネル設定データに基づいて放送に同調可能な第２のチューナと、
前記第２のチューナにより同調した放送を表示する表示手段とを備え、
前記第１の演算処理手段は、
前記第１の入力手段により入力された第１の新たなチャンネル設定データを前記第１の記憶手段に設定するとともに、前記第１の新たなチャンネル設定データを前記表示装置に転送し、
前記表示装置から転送された第２の新たなチャンネル設定データを前記第１の記憶手段に設定し、
前記第１の記憶手段に設定されたチャンネル設定データを用いて、前記第１のチューナが同調した放送を前記表示手段に表示し、
前記第２の演算処理手段は、
前記第２の入力手段により入力された第２の新たなチャンネル設定データを前記第２の記憶手段に設定するとともに、前記第２の新たなチャンネル設定データを前記情報処理装置に転送し、
前記情報処理装置から転送された前記第１の新たなチャンネル設定データを前記第２の記憶手段に設定し、
前記第２の記憶手段に設定されたチャンネル設定データを用いて、前記第２のチューナが同調した放送を前記表示手段に表示することを特徴とする情報処理システム。
【発明の詳細な説明】
【技術分野】
【０００１】
本発明は情報処理システム、情報処理装置、表示装置、及び情報処理システムのチャンネル設定方法に関し、特に、テレビチューナ等の同調器がそれぞれ内蔵された２つの電子機器が接続された場合の、両方の同調器のチャンネルの設定を、１つの操作器で共通に行うことができる情報処理システム、情報処理装置、表示装置、及び情報処理システムのチャンネル設定方法に関するものである。
【０００２】
更に詳しく述べれば、テレビチューナを内蔵したディスプレイとテレビチューナを内蔵したパーソナルコンピュータ本体の両方のテレビチューナのチャンネル設定、或いはテレビジョンセットとこれに接続する録画装置、例えばビデオカセットレコーダ（以後ＶＣＲという）、デジタル多目的ディスク（以後ＤＶＤという）、やハードディスク装置等、にそれぞれ内蔵されたテレビチューナの両方のチャンネル設定を、１つのリモートコントローラで共通に行うことができる情報処理装置、表示装置、情報処理システム、及び情報処理システムのチャンネル設定方法に関するものである。
【背景技術】
【０００３】
近年、パーソナルコンピュータにテレビチューナを搭載した機種が増え、パーソナルコンピュータをテレビとして使用することが行われている。この理由は、パーソナルコンピュータに搭載される記憶媒体としてのハードディスク装置の記憶容量が飛躍的に増え、パーソナルコンピュータでテレビ番組をこのハードディスク装置に録画できるようになったことが大きい。
【０００４】
このようなテレビチューナを搭載したパーソナルコンピュータでは一般に、テレビチューナはディスプレイ側ではなくパーソナルコンピュータの本体側に搭載されている。この理由は、テレビチューナがパーソナルコンピュータの本体側にあった方が、ハードディスク装置に容易にテレビ番組の録画を行うことができるからである。また、もう１つの理由は、ディスプレイ側のみにテレビチューナが搭載されていると、画像データをディスプレイ側からパーソナルコンピュータの本体側に送るための回路コストが高くなってしまうからである。
【０００５】
ところが、本体側にテレビチューナを搭載したパーソナルコンピュータでテレビ番組を見ようとする場合には、パーソナルコンピュータの電源をオンにして、パーソナルコンピュータの基本ソフトウエアであるＯＳ（Operating System）と、テレビ機能を動作させるためのアプリケーション・ソフトウエアの両方を起動させなければならず、操作が煩わしい上に、パーソナルコンピュータの電源をオンにしてから実際にディスプレイでテレビ画面が見られるまでにはかなりの時間がかかっていた。
【０００６】
そこで、テレビチューナをパーソナルコンピュータの本体に搭載すると共に、このパーソナルコンピュータ本体に接続して使用するディスプレイ側にもテレビチューナを搭載させるパーソナルコンピュータが出現している。このようなパーソナルコンピュータでは、一般のテレビジョンセットと同様に、ディスプレイ側の電源だけをオンすればすぐにテレビ番組が視聴できるので便利である。
【発明の開示】
【発明が解決しようとする課題】
【０００７】
しかしながら、このように本体側とディスプレイ側のそれぞれにテレビチューナを搭載したパーソナルコンピュータにおいては、パーソナルコンピュータの本体側のテレビチューナでチャンネル設定した場合と、ディスプレイ側のテレビチューナでチャンネル設定をした場合とで、その設定アルゴリズム、又はチューナユニットの受信感度の相違により、２つのテレビチューナの間で、チャンネル設定が異なる場合がある。このようなチャンネル設定に相違が生じるのは、受信局の電波が弱い場合や、空きチャンネルに別のチャンネルをユーザーが好みでマニュアル設定するような場合である。
【０００８】
そして、このように、パーソナルコンピュータ本体とディスプレイにそれぞれ搭載された２つのテレビチューナのチャンネル設定が異なっていると、１つのリモートコントローラでチャンネル変更を行う際に、パーソナルコンピュータ本体とディスプレイで、リモートコントローラのテンキーに割り当てられている放送局や、放送局の並びが異なることがある。この結果、チャンネルの変更時にユーザーが戸惑ったり、ディスプレイの画面を見ながらそのチャンネルと同じチャンネルをパーソナルコンピュータの本体側で録画した場合に、異なるチャンネルの番組が録画されてしまう等の不具合が生じるという問題があった。
【０００９】
このような問題は、ビデオ信号の送信又は受信ができるように接続された２つの電子機器に、２つのテレビチューナが独立に搭載されている場合、例えばテレビジョンセットに、ＶＣＲやＤＶＤ録画装置、及びハードディスク装置等の独立した１つ又は複数の録画装置が接続されている場合にも起こりうるものである。
【００１０】
従って、本発明の目的は、ビデオ信号の送信又は受信ができるように接続された２つの電子機器に、２つの同調器が独立に搭載されている場合、何れか一方の電子機器の同調器で設定した受信チャンネルが、自動的に他方の電子機器の同調器に転送されて、２つの同調器の受信チャンネル設定を同一にすることができる情報処理システム、情報処理装置、表示装置、及び情報処理システムのチャンネル設定方法を提供することにある。
【課題を解決するための手段】
【００１１】
前記目的を達成する本発明の第１の形態の情報処理システムは、入力手段から入力されたデータを、第１の演算処理手段を用いて演算処理する情報処理装置と、情報処理装置に接続され、情報処理装置から入力されたデータを第２の演算処理手段を用いて表示する表示装置とを備えた情報処理システムであって、情報処理装置は、同調周波数と局番号との対応を示す第１のチャンネル設定データを格納する第１の記憶手段と、第１のチャンネル設定データに基づいて放送に同調可能な第１のチューナとを備え、第１の演算処理手段は、入力手段により入力された第２のチャンネル設定データを第１の記憶手段に設定するとともに、第２のチャンネル設定データを表示装置に転送し、表示装置は、第２のチャンネル設定データを格納するための第２の記憶手段と、第２のチャンネル設定データに基づいて放送に同調可能な第２のチューナと、第２のチューナにより同調した放送を表示する表示手段とを備え、第２の演算処理手段は、情報処理装置から転送された第２のチャンネル設定データを第２の記憶手段に設定し、第２のチャンネル設定データを用いて、第２のチューナが同調した放送を表示手段に表示することを特徴としている。
【００１２】
また、前記目的を達成する本発明の第２の形態の情報処理システムは、入力されたデータを、第１の演算処理手段を用いて表示する表示装置と、表示装置に接続され、入力手段から入力されたデータを第２の演算処理手段を用いて演算処理する情報処理装置とを備えた情報処理システムであって、表示装置は、同調周波数と局番号との対応を示す第１のチャンネル設定データを格納する第１の記憶手段と、第１のチャンネル設定データに基づいて放送に同調可能な第１のチューナと、第１のチューナにより同調した放送を表示する表示手段とを備え、第１の演算処理手段は、入力手段により入力された第１のチャンネル設定データとは異なる第２のチャンネル設定データを第１の記憶手段に設定するとともに、第２のチャンネル設定データを情報処理装置に転送し、情報処理装置は、第２のチャンネル設定データを格納する第２の記憶手段と、第２のチャンネル設定データに基づいて放送に同調可能な第２のチューナとを備え、表示装置から転送された第２のチャンネル設定データを第２の記憶手段に設定し、第２のチャンネル設定データを用いて、第２のチューナが同調した放送を表示手段に表示することを特徴としている。
【００１３】
更に、前記目的を達成する本発明の第３の形態の情報処理システムは、第１の入力手段から入力されたデータを、第１の演算処理手段を用いて演算処理する情報処理装置と、情報処理装置に接続され、情報処理装置から入力されたデータを第２の演算処理手段を用いて表示する表示装置とを備えた情報処理システムであって、情報処理装置は、同調周波数と局番号との対応を示すチャンネル設定データを格納する第１の記憶手段と、第１の記憶手段に格納されたチャンネル設定データに基づいて放送に同調可能な第１のチューナとを備え、表示装置は、第２の入力手段と、チャンネル設定データを格納するための第２の記憶手段と、第２の記憶手段に格納されたチャンネル設定データに基づいて放送に同調可能な第２のチューナと、第２のチューナにより同調した放送を表示する表示手段とを備え、第１の演算処理手段は、第１の入力手段により入力された第１の新たなチャンネル設定データを第１の記憶手段に設定するとともに、第１の新たなチャンネル設定データを表示装置に転送し、表示装置から転送された第２の新たなチャンネル設定データを第１の記憶手段に設定し、第１の記憶手段に設定されたチャンネル設定データを用いて、第１のチューナが同調した放送を表示手段に表示し、第２の演算処理手段は、第２の入力手段により入力された第２の新たなチャンネル設定データを第２の記憶手段に設定するとともに、第２の新たなチャンネル設定データを情報処理装置に転送し、情報処理装置から転送された第１の新たなチャンネル設定データを第２の記憶手段に設定し、第２の記憶手段に設定されたチャンネル設定データを用いて、第２のチューナが同調した放送を表示手段に表示することを特徴としている。
【００１４】
前記目的を達成する本発明の第１の形態の情報処理装置は、表示装置が接続され、入力されたデータを、演算処理手段を用いて演算処理し、演算処理の結果を表示装置に出力する情報処理装置であって、同調周波数と局番号との対応を示すチャンネル設定データを入力するための入力手段と、第１のチャンネル設定データを格納する第１の記憶手段と、チャンネル設定データに基づいて放送に同調可能な第１のチューナとを備え、演算処理手段は、入力手段により入力された第２のチャンネル設定データを記憶手段に設定するとともに、第２のチャンネル設定データを表示装置に転送することを特徴としている。
【００１５】
また、前記目的を達成する本発明の第２の形態の情報処理装置は、同調周波数と局番号との対応を示すチャンネル設定データに基づいて放送に同調可能な第１のチューナを有する表示装置が接続され、入力されたデータを、演算処理手段を用いて演算処理し、演算処理の結果を表示装置に出力する情報処理装置であって、チャンネル設定データに基づいて放送に同調可能な第２のチューナと、第１のチャンネル設定データが格納された記憶手段と、表示装置から、第２のチャンネル設定データがチャンネル設定データ受信依頼通知とともに転送された場合に、第２のチャンネル設定データを記憶手段に設定するチャンネル設定データ書込み手段とを有することを特徴としている。
【００１６】
前記目的を達成する本発明の第１の形態の表示装置は、入力手段から入力されたデータを、演算処理手段を用いて演算処理するとともに、同調周波数と局番号との対応を示すチャンネル設定データに基づいて放送に同調可能な第１のチューナを有する情報処理装置に接続され、演算処理手段の演算処理の結果を表示する表示装置であって、チャンネル設定データに基づいて放送に同調可能な第２のチューナと、演算処理手段の演算処理の結果又は第２のチューナにより同調した放送を表示する表示手段と、チャンネル設定データが格納された記憶手段と、情報処理装置から、チャンネル設定データ受信依頼通知とともに転送された第２のチューナに対する新たなチャンネル設定データを記憶手段に設定するチャンネル設定データ書込み手段とを有し、記憶手段に設定されたチャンネル設定データを用いて、第２のチューナが同調した放送を表示することを特徴としている。
【００１７】
また、前記目的を達成する本発明の第２の形態の表示装置は、情報処理装置に接続され、情報処理装置から入力されたデータを、演算処理手段を用いて表示する表示装置であって、同調周波数と局番号との対応を示すチャンネル設定データを入力するための入力手段と、チャンネル設定データに基づいて放送に同調可能な第１のチューナと、第１のチューナに対する第１のチャンネル設定データが格納された記憶手段とを備え、演算処理手段は、入力手段により入力された第２のチャンネル設定データを記憶手段に設定するとともに、第２のチャンネル設定データを情報処理装置に転送することを特徴としている。
【００１８】
前記目的を達成する本発明の第１の形態の情報処理システムのチャンネル設定方法は、入力装置から入力されたデータを記憶装置に保持し、演算処理装置を用いて演算処理するとともに、同調周波数と局番号との対応を示すチャンネル設定データに基づいて放送に同調可能な第１のチューナを有する情報処理装置と、情報処理装置に接続され、演算処理装置の演算処理の結果を表示するとともに、チャンネル設定データに基づいて放送に同調可能な第２のチューナとを有する表示装置とを有し、第１又は第２のチューナが同調した放送を表示装置に表示する情報処理システムのチャンネル設定方法であって、入力装置により入力された新たなチャンネル設定データを記憶装置に設定するステップと、新たなチャンネル設定データを、演算処理装置がチャンネル設定データ受信依頼通知とともに、表示装置に転送するステップと、新たなチャンネル設定データを用いて、第２のチューナが同調した放送を表示装置に表示するステップとを有することを特徴としている。
【００１９】
また、前記目的を達成する本発明の第２の形態の情報処理システムのチャンネル設定方法は、入力装置から入力されたデータを第１の記憶装置に保持し、演算処理装置を用いて表示するとともに、同調周波数と局番号との対応を示すチャンネル設定データに基づいて放送に同調可能な第１のチューナを有する表示装置と、表示装置が接続され、第２の記憶装置と、チャンネル設定データに基づいて放送に同調可能な第２のチューナとを有する情報処理装置とを有し、第１又は第２のチューナが同調した放送を表示装置に表示する情報処理システムのチャンネル設定方法であって、入力装置により入力された新たなチャンネル設定データを第１の記憶装置に設定するステップと、演算処理装置が第１の記憶装置から新たなチャンネル設定データを読み出すステップと、読み出された新たなチャンネル設定データを、演算処理装置がチャンネル設定データ受信依頼通知とともに、情報処理装置に転送するステップと、転送された新たなチャンネル設定データを、第２記憶装置に設定するステップを有することを特徴としている。
【発明の効果】
【００２０】
本発明の情報処理システム、情報処理装置、表示装置、及び情報処理システムのチャンネル設定方法によれば、ビデオ信号の送信又は受信ができるように接続された２つの電子機器に２つの同調器が独立に搭載されている場合、何れか一方の電子機器の同調器で設定した受信チャンネルが、自動的に他方の電子機器の同調器に転送されて、２つの同調器の受信チャンネル設定を同一にすることができる。
【００２１】
例えば、一方にディスプレイがあり、ビデオ信号の送信又は受信ができるように接続された２つの電子機器に、２つのテレビチューナが独立に搭載されている場合には、リモートコントローラや本体に設けられたボタンを使用して、何れか一方の電子機器のテレビチューナでのみテレビチャンネルを設定すれば、自動的に他方の電子機器のテレビチューナのテレビチャンネルがこれと同じに設定される。この結果、簡単な操作で２つのテレビチューナのチャンネル設定を同一にすることができるので、録画時のチャンネル違いによる録画ミスを防ぐことができて便利である。
【発明を実施するための最良の形態】
【００２２】
図１は本発明の電子機器の一実施例のパーソナルコンピュータ１０の構成を示すものである。この実施例のパーソナルコンピュータ１０には、パーソナルコンピュータ本体（以後ＰＣと略記する）１、ディスプレイ２、キーボード３、マウス４、及びリモートコントローラ５が備えられている。ＰＣ１には電源ボタン７があり、この電源ボタン７を押すとパーソナルコンピュータ１０が起動する。この実施例のＰＣ１とディスプレイ２にはテレビチューナ（以後ＴＶチューナ）がそれぞれ内蔵されている。そして、ＰＣ１側のＴＶチューナはＰＣ１がオン状態でないと動作しないが、ディスプレイ２に内蔵されたＴＶチューナは、電源ボタン８を押してディスプレイ２をオンさせるだけで動作するようになっている。
【００２３】
ディスプレイ２は、この実施例では液晶表示パネル２２を備えた薄型のものであり、前面にディスプレイ２のみをオンさせる電源ボタン８、チャンネル設定やチャンネルの変更、及び音量の調整等が行える操作ボタン２７と、リモートコントローラ５から出射される赤外線信号の受光窓２８がある。この実施例のキーボード３には、通常の入力キーの右側にＡＶ（Audio and Visual）コントローラ９が設けられている。そして、この実施例では、ＡＶコントローラ９の上に設けられたボタン、或いはリモートコントローラ５の上に設けられたボタン（テンキー）を使用することにより、ＰＣ１にセットされたＣＤやＤＶＤの動作制御、ＴＶチューナのオンオフ、音量調節等が行えるようになっている。
【００２４】
図２は図１のパーソナルコンピュータ１０の内部構成の一実施例を示すブロック回路図である。この実施例では、ＰＣ１に、ＴＶチューナ１１、チップセット１２，１３、グラフィックスコントローラ１４、ＣＰＵ１５、メモリ１６、記憶媒体１７、及びＰＳ２用の入力ポート１８やＵＳＢ用の入力ポート１９があり、相互に内部バスで接続されている。また、ディスプレイ２に、ＴＶチューナ２１、液晶表示パネル２２、ＩＲ（赤外線）レシーバ２３、液晶表示パネルコントローラ２４、ＭＰＵ２５、ＥＥＰＲＯＭ２６、操作ボタン２７、及び赤外線信号の受光窓２８等があり、相互に内部バスで接続されている。
【００２５】
この実施例のＰＣ１では、ＣＰＵ１５とチップセット１２，１３の制御により、アンテナ６からＴＶチューナ１１に入力されたビデオ信号は、記憶媒体１７に録画されたり、グラフィックスコントローラ１４を介してディスプレイ２に送られたりする。ここで、記憶媒体１７としては、ハードディスク（ＨＤＤ）、ＤＶＤ、或いはフロッピィディス（ＦＤＤ）を使用することができる。
【００２６】
ＰＣ１のＴＶチューナ１１が受信するチャンネルの設定を行う場合には、ＰＳ２用の入力ポート１８又は、ＵＳＢ用の入力ポート１９に接続されたにキーボード３、マウス４、或いは、後述するリモートコントローラ５を用いることができる。そして、ＴＶチューナ１１のチャンネル設定データはメモリ１６又は記憶媒体１７に記憶される。
【００２７】
一方、ディスプレイ２では、通常は液晶表示パネルコントローラ２４が、ＰＣ１のグラフィックスコントローラ１４から入力されるＲＧＢ信号を、水平同期信号Ｈsと垂直同期信号Ｖsに基づいて晶表示パネル２２に表示する。ＰＣ１からのＲＧＢ信号は、ＰＣ１のＴＶチューナ１１で受信されたビデオ信号や、記憶媒体１７で再生されたビデオ信号である。また、この実施例のように、ディスプレイ２にＴＶチューナ２１が設けられている場合には、ディスプレイ２がＴＶモードの時に、液晶表示パネルコントローラ２４は、アンテナ６からＴＶチューナ２１に入力されたビデオ信号を、液晶表示パネル２２に送ってこれを表示させる。
【００２８】
ディスプレイ２のＴＶモードとは、ここでは、ＰＣ１のオンオフにかかわらず、ディスプレイ２にＴＶプログラムを表示させるモードのことである。ＴＶモードは、操作ボタン２７の押圧、或いは、リモートコントローラ５のＴＶモードボタンが押された時に設定される。リモートコントローラ５から出る赤外線信号は、ディスプレイ２の受光窓２８に入力されてＩＲレシーバ２３が受信する。
【００２９】
なお、この実施例では、ディスプレイ２のＩＲレシーバ２３の出力は、ＵＳＢケーブル２９を通じてＰＣ１のＵＳＢ用の入力ポート１９に入力されるようになっている。従って、リモートコントローラ５を使用して、ＰＣ１側のＴＶのチャンネル設定やチャンネル変更が可能となるのである。
【００３０】
ディスプレイ２のＴＶチューナ２１が受信するチャンネルを設定するには、ディスプレイ２に設けられた操作ボタン２７を組み合わせて押圧するか、或いはリモートコントローラ５のチャンネル設定ボタンの押圧後にテンキーを押せば良い。また、この実施例では、ディスプレイ２のＴＶチューナ２１が受信するチャンネルの設定を、ＰＣ１から液晶パネルコントローラ２４に入力されるビデオ信号の垂直ブランキング期間に重畳、又はＰＣ１からＭＰＵ２５に入力されるＤＤＣ（Display Data Channel）信号やＵＳＢ信号によっても行うことができる。そして、ＴＶチューナのチャンネル設定データはＥＥＰＲＯＭ２６に記憶される。
【００３１】
ここで、ＰＣ１が出力するビデオ信号は、各色のデータであるＲＧＢ信号と前述の垂直同期信号Ｖｓや、水平同期信号Ｈｓのことである。また、ＤＤＣ信号は、ＰＣ１がディスプレイ２の特性を知るために、ディスプレイ２と通信するインターフェース信号である。
ここで、図２のＰＣ１において実行したＴＶチューナのチャンネル設定を、ディスプレイ２のチャンネル設定としてディスプレイ２に移植する場合に必要な、電子機器の機能構成を図３Ａを用いて説明する。なお、図３Ａにおいては、第１の電子機器１が図２のＰＣ１に対応し、第２の電子機器２が図２のディスプレイ２に対応している。
【００３２】
第１の電子機器１には、第１のＴＶチューナ１１、第１の記憶媒体（例えばメモリ）１６、及び録画装置（例えばＨＤＤ）１７に接続する第１のコントローラ３０を設ける。第１のコントローラ３０は、ＣＰＵ１５の内部、或いはチップセット１２又は１３の中に設けることができる。第１のコントローラ３０の中には、チャンネル設定検出回路３１、チャンネル設定データ読出回路３２、及びチャンネル設定データ転送回路３３を設ける。チャンネル設定検出回路３１は、第１の電子機器１においてチャンネル設定がなされたかどうかを検出し、チャンネル設定が検出された場合にこれをチャンネル設定データ読出回路３２に伝える。すると、チャンネル設定データ読出回路３２は録画装置１７（ＰＣ１がマイクロコンピュータの場合で、ＰＣ１がテレビジョンやＶＣＲの場合は第１の記憶媒体１６）からチャンネル設定データを読み出し、これをチャンネル設定データ転送回路３３に入力する。チャンネル設定データ転送回路３３は、入力されたチャンネル設定データを、第２の電子機器２に転送する。
【００３３】
第２の電子機器２には、第２のＴＶチューナ２１、第２の記憶媒体（例えばＥＥＰＲＯＭ）２６、及びディスプレイパネル２２に接続する第２のコントローラ４０を設ける。第２のコントローラ４０は、ＭＰＵ２５の内部に設けることができる。第２のコントローラ４０の中には、チャンネル設定データ書込回路４１を設ける。チャンネル設定データ書込回路４１は、第１の電子機器１からチャンネル設定データが転送されてきた場合に、このチャンネル設定データを第２の記憶媒体２６に記憶する。この場合、第２の記憶媒体２６に既にチャンネル設定データが書き込まれていた場合には、チャンネル設定データ書込回路４１は転送されてきたチャンネル設定データを、既に記憶されているチャンネル設定データに上書きする。
【００３４】
このようにして本発明の電子機器では、第１の電子機器（ＰＣ）１で設定されて録画装置１７（ＰＣ１がマイクロコンピュータの場合で、ＰＣ１がテレビジョンやＶＣＲの場合は第１の記憶媒体１６）に記憶されたチャンネル設定データが、第２の電子機器（ディスプレイ）２に、ビデオ信号、ＤＣＣ信号、或いはＵＳＢ信号を介して転送されて第２の記憶媒体（ＥＥＰＲＯＭ）２６に記憶されるので、以後は第１の電子機器１と第２の電子機器２における第１と第２のＴＶチューナ１１と２１のチャンネル設定データが同一のものとなる。
【００３５】
なお、図３Ａでは、第１の電子機器１を図２のＰＣ１、第２の電子機器２を図２のディスプレイ２に対応させて説明したが、逆に、図３Ｂに示すように、第１の電子機器がディスプレイ２、第２の電子機器がＰＣ１であっても良い。この場合は、第１の電子機器２には、第１のＴＶチューナ２１、第１の記憶媒体（例えばＥＥＰＲＯＭ）２６、及びディスプレイパネル２２に接続する第１のコントローラ３０を設ける。そして、第１のＴＶチューナ２１のチャンネル設定をディスプレイ２側で行い、このチャンネル設定データをＤＣＣ信号、或いはＵＳＢケーブル２９を介して第２の電子機器（ＰＣ）１に転送する。
【００３６】
第２の電子機器１には、第２のＴＶチューナ１１、第２の記憶媒体（例えばメモリ）１６、及び録画装置（例えばＨＤＤ）１７に接続する第２のコントローラ４０を設ける。第２のコントローラ４０の中には、チャンネル設定データ書込回路４１を設ける。チャンネル設定データ書込回路４１は、第１の電子機器２から転送されてきたチャンネル設定データを録画装置１７（ＰＣ１がマイクロコンピュータの場合で、ＰＣ１がテレビジョンやＶＣＲの場合は第２の記憶媒体１６）に記憶する。この場合、録画装置１７又は第２の記憶媒体１６に既にチャンネル設定データが書き込まれていた場合には、チャンネル設定データ書込回路４１は転送されてきたチャンネル設定データを、既に記憶されているチャンネル設定データに上書きする。この結果、以後は第１の電子機器（ディスプレイ）２と第２の電子機器（ＰＣ）１に記憶されたチャンネル設定データが同一のものとなる。
【００３７】
更に、第１の電子機器１をＶＣＲ、第２の電子機器２をテレビジョンセットとすることもできる。この場合は、ＶＣＲとテレビジョンセットとはＲＧＢ信号の送受信を行うことができるので、一方で設定したＴＶのチャンネル設定データを、ビデオ信号の垂直ブランキング期間中に重畳させることにより、両者間のＴＶのチャンネル設定データ転送を行うことができる。
【００３８】
図１０のＡからＣはパーソナルコンピュータにおけるビデオ信号を示しており、図１０のＡはテレビ画像を表示する機能を備えたディスプレイに送られる垂直同期信号の波形を示す波形図、図１０のＢはテレビ画像を表示する機能を備えたディスプレイに送られる水平同期信号の波形を示す波形図である。そして、図１０のＣはテレビ画像を表示する機能を備えたディスプレイに送られるＲＧＢ信号の垂直ブランキング期間に、チャンネル設定データを重畳させた時のＲＧＢ信号の波形を示す波形図である。一方、テレビジョンセットのビデオ信号にチャンネル設定データを重畳させた場合には、そのビデオ信号の波形は図１０のＤに示す波形図のようになる。
【００３９】
図４は本発明の電子機器におけるテレビチャンネルの設定方法を、図１で説明したようなディスプレイ２とＰＣ１の両方にＴＶチューナが内蔵されたパーソナルコンピュータ１０に適用し、ＰＣ１で設定したチャンネルをディスプレイ２に転送する場合の、ＰＣ１のチャンネル設定手順を示すフローチャートである。
【００４０】
ステップ４０１ではまず、ＰＣ１にインストールされているＴＶアプリケーションを起動する。このＴＶアプリケーションの起動により、ＰＣ１をチャンネル設定状態にすることができる。次のステップ４０２では、ＰＣ１がチャンネル（図にはＣＨと略記）設定状態にあるか否かを判定する。ＰＣ１がチャンネル設定状態でない場合はこのルーチンを終了し、ＰＣ１がチャンネル設定状態の時はステップ４０３に進む。
【００４１】
ＰＣ１がチャンネル設定状態であると判定した時に進むステップ４０３においては、このＴＶアプリケーションによるチャンネル設定を行う。チャンネル設定にはハードウエアによる自動設定（受信チャンネルをサーチして自動設定したり、地域番号を入力してその地域に固有のＴＶチャンネルを自動設定する方法等）と、ユーザーが空きチャンネルに自分の好きなチャンネルを手動で任意に設定する方法等がある。このＴＶアプリケーションによるＴＶのチャンネル設定は公知のものであり、色々な方法があるのでこれ以上の詳しい説明は省略する。
【００４２】
ステップ４０３においてチャンネル設定が終了すると、ステップ４０４においてそのチャンネル設定データを記憶媒体、例えば図２のハードディスク１７にストレージする。そして、次のステップ４０５でＴＶアプリケーションまたは別のアプリケーションが、この記憶媒体からチャンネル設定データを読み出す。
【００４３】
そして、次のステップ４０６においては、読み出したチャンネル設定データを次の第１から第３の何れかの方法でディスプレイ２に転送してこのルーチンを終了する。第１の方法は、ビデオ信号の垂直ブランキング期間中にチャンネル設定データを重畳する方法である。第２の方法は、図２で説明したＤＤＣ信号にチャンネル設定データを含ませる方法である。第３の方法は、同じく図２で説明したＵＳＢケーブルを使用してチャンネル設定データを送る方法である。どの方法を使用するかは、チャンネル設定データを送受信する装置の構成に応じて決めれば良い。
【００４４】
図５は図４で説明したテレビチャンネルの設定方法の、ディスプレイ２側のチャンネル設定手順を示すフローチャートである。ディスプレイ２ではステップ５０１において、ＰＣ１からチャンネル設定データの受信依頼が来たかどうかを監視している。そして、チャンネル設定データの受信依頼がない時にはこのルーチンを終了し、チャンネル設定データの受信依頼が来た時だけステップ５０２に進む。
【００４５】
ステップ５０２ではＰＣ１から転送されて来たチャンネル設定データを受信し、次のステップ５０３において、受信したチャンネル設定データを記憶媒体、例えば図２に示したＥＥＰＲＯＭ２６にストレージする。この時、ＥＥＰＲＯＭ２６内のチャンネル設定データの記憶領域に既にチャンネル設定データが存在する時には、既存のチャンネル設定データの上に、ステップ５０２で新たに受信したチャンネル設定データを上書きする。この結果、ディスプレイ２のＥＥＰＲＯＭ２６が記憶するチャンネル設定データが、ＰＣ１のメモリ１６に記憶されたチャンネル設定データと同じになる。
【００４６】
例えば、ディスプレイ２のＥＥＰＲＯＭ２６のチャンネル設定データの記憶領域に、図６に示すような設定チャンネルテーブルが既に記憶されていた場合でも、図７に示すような設定チャンネルテーブルがＰＣ１から転送されて来た場合には、図６に示す設定チャンネルテーブルの内容は、図７に示す設定チャンネルテーブルの内容に置き換わる。
【００４７】
以上説明した実施例は、ＰＣ１で設定したチャンネルをディスプレイ２に転送する場合のチャンネル設定手順であったが、次に、ディスプレイ２で設定したチャンネルをＰＣ１に転送する場合のチャンネル設定手順について説明する。
【００４８】
図８は本発明のテレビチャンネルの設定方法を、ディスプレイ２とＰＣ１の両方にＴＶチューナが内蔵されたパーソナルコンピュータ１０に適用し、ディスプレイ２で設定したチャンネルをＰＣ１に転送する場合の、ディスプレイ２のチャンネル設定手順を示すフローチャートである。
【００４９】
ステップ８０１ではまず、ディスプレイ２がＴＶモードか否かを判定する。このＴＶモードは、図１の操作ボタン２７、ＡＶコントローラ９やリモートコントローラ５で選択することができる。ディスプレイ２がＴＶモードでない時はこのルーチンを終了する。ステップ８０１でディスプレイ２がＴＶモードの時はステップ８０２に進み、ディスプレイ２のＯＳＤ（On Screen Display）メニューを起動する。このＯＳＤメニューにはディスプレイ２の画面上で行えるメニューが入っており、チャンネル設定メニューもその中の１つである。
【００５０】
ステップ８０２でＯＳＤメニューが起動されると、ステップ８０３において、ディスプレイ２がチャンネル（図にはＣＨと略記）設定状態にあるか否かを判定する。ディスプレイ２がチャンネル設定状態でない場合はこのルーチンを終了し、ディスプレイ２がチャンネル設定状態の時はステップ８０４に進む。
【００５１】
ディスプレイ２がチャンネル設定状態であると判定した後のステップ８０４では、このＯＳＤメニューの中のチャンネル設定メニューを呼び出してチャンネル設定を行う。チャンネル設定にはハードウエアによる自動設定（受信チャンネルをサーチして自動設定したり、地域番号を入力してその地域に固有のＴＶチャンネルを自動設定する方法等）と、ユーザーが空きチャンネルに自分の好きなチャンネルを手動で任意に設定する方法等があるが、ＯＳＤメニューによるＴＶのチャンネル設定は公知のものであり、色々な方法があるのでこれ以上の詳しい説明は省略する。
【００５２】
ステップ８０４においてチャンネル設定が終了すると、ステップ８０５でそのチャンネル設定データを記憶媒体、例えば図２のＥＥＰＲＯＭ２６にストレージする。そして、次のステップ８０６では、現在ＰＣ１が起動中か否かを判定する。そして、ＰＣ１が起動中の時はそのままステップ８０８に進み、ＰＣ１が起動していない時はステップ８０７に進んでＰＣ１に起動信号を送ってＰＣ１を起動してからステップ８０８に進む。
【００５３】
ステップ８０８では、起動中のＰＣ１にＴＶアプリケーションまたは別のアプリケーションの起動信号を送り、ＰＣ１にインストールされているＴＶアプリケーションまたは別のアプリケーションを起動する。そして、次のステップ８０９ではＰＣ１からのチャンネル設定データの要求信号を待つ。ＰＣ１からチャンネル設定データの要求信号が来たことが確認できるとステップ８１０に進み、チャンネル設定データ読出回路３２が記憶媒体（ＥＥＰＲＯＭ）からチャンネル設定データを読み出す。
【００５４】
そして、次のステップ８１１においては、読み出したチャンネル設定データを次の第１又は第２の方法でＰＣ１に転送してこのルーチンを終了する。第１の方法は、図２で説明したＤＤＣ信号にチャンネル設定データを含ませる方法である。第２の方法は、ＵＳＢケーブルを使用してチャンネル設定データを送る方法である。どの方法を使用するかは、チャンネル設定データを送受信する装置の構成に応じて決めれば良い。
【００５５】
図９は図８で説明したテレビチャンネルの設定方法の、ＰＣ１におけるチャンネル設定手順を示すフローチャートである。ＰＣ１ではステップ９０１において、ディスプレイ２がチャンネル設定時に、ＰＣ１がオンしている状態か否かを判定する。そして、ＰＣ１がオンしている状態の時はステップ９０４に進み、ＰＣ１がオンしていない時はステップ９０２でディスプレイ２からのＰＣ１の起動信号を待つ。ディスプレイ２からＰＣ１の起動信号が来たらステップ９０３においてＰＣ１を起動してステップ９０４に進む。
【００５６】
ステップ９０４ではディスプレイ２からのアプリケーションの起動信号を待つ。前述のディスプレイ２のチャンネル設定の手順のステップ８０８において、起動中のＰＣ１にＴＶアプリケーションまたは別のアプリケーションの起動信号が送られると、ステップ９０４からステップ９０５に進む。ステップ９０５では、ＰＣ１はインストールされているＴＶアプリケーションまたは別のアプリケーションを起動する。そして、ＴＶアプリケーションまたは別のアプリケーションが起動すると、ディスプレイ２に対してチャンネル設定データの転送要求を送る。この後、ステップ９０６でディスプレイ２からのチャンネル設定データの転送を待つ。
【００５７】
このＰＣ１からディスプレイ２へのチャンネル設定データの転送要求により、前述のディスプレイ２のチャンネル設定の手順のステップ８１０においてディスプレイは記憶媒体からチャンネル設定データを読み出し、ステップ８１１でチャンネル設定データをＰＣ１に転送する。ディスプレイ２からＰＣ１にチャンネル設定データが転送され始めると、ステップ９０６からステップ９０７に進む。
【００５８】
ステップ９０７ではディスプレイ２から転送されて来たチャンネル設定データを受信し、次のステップ９０８において、受信したチャンネル設定データを記憶媒体１７、例えば図２に示したＨＤＤ１７にストレージする。この時、ＨＤＤ１７内のチャンネル設定データの記憶領域に既にチャンネル設定データが存在する時には、既存のチャンネル設定データの上に、ステップ９０７で新たに受信したチャンネル設定データを上書きする。この結果、ディスプレイ２のＥＥＰＲＯＭ２６が記憶するチャンネル設定データと、ＰＣ１の記憶媒体１７、即ちＨＤＤ１７に記憶されたチャンネル設定データとが同じになる。これにより、ＰＣ１とディスプレイ２で同じチャンネル設定データを共有することができるため、リモートコントローラ５のテンキーでの操作も共通化が可能となる。
【産業上の利用可能性】
【００５９】
本発明に示される、情報処理システム、情報処理装置、表示装置、及び情報処理システムのチャンネル設定方法によれば、ビデオ信号の送信又は受信ができるように接続された２つの電子機器に、２つのテレビチューナが独立に搭載されている場合において、一方の電子機器のテレビチューナで設定したテレビチャンネルが自動的に他方の電子機器のテレビチューナに転送され、２つのテレビチューナのチャンネル設定を同一にすることができるので、テレビチャンネルの設定が容易になると共に、１つのリモートコントローラでチャンネル変更を行っても、２つの電子機器の受信テレビチャンネルが常に同じになるので、ユーザが戸惑うことがない。このためパーソナルコンピュータ本体側における、希望と異なるチャンネルの番組を録画してしまうという録画ミスを防ぐことが可能となる。
【図面の簡単な説明】
【００６０】
【図１】図１は本発明の電子機器の一実施例であるパーソナルコンピュータの構成を示す斜視図である。
【図２】図２は図１のパーソナルコンピュータの内部構成を示すブロック回路図である。
【図３Ａ】図３Ａは本発明の電子機器の機能構成の一例を示すブロック図である。
【図３Ｂ】図３Ｂは本発明の電子機器の機能構成の他の例を示すブロック図である。
【図４】図４は本発明の電子機器におけるテレビチャンネルの設定方法を、ディスプレイと本体の両方にＴＶチューナが内蔵されたパーソナルコンピュータに適用し、パーソナルコンピュータ本体側で設定したチャンネルをディスプレイ側に転送する場合の、パーソナルコンピュータ本体側のチャンネル設定手順を示すフローチャートである。
【図５】図５は図４で説明したテレビチャンネルの設定方法の、ディスプレイ側のチャンネル設定手順を示すフローチャートである。
【図６】図６は本発明のテレビチャンネルの設定方法によって設定されたディスプレイ側の設定チャンネルの内容を示すテーブル図である。
【図７】図７は本発明のテレビチャンネルの設定方法によって設定されたパーソナルコンピュータ本体側の設定チャンネルの内容を示すテーブル図である。
【図８】図８は本発明の電子機器におけるテレビチャンネルの設定方法を、ディスプレイと本体の両方にＴＶチューナが内蔵されたパーソナルコンピュータに適用し、ディスプレイ側で設定したチャンネルをパーソナルコンピュータ本体側に転送する場合の、ディスプレイ側のチャンネル設定手順を示すフローチャートである。
【図９】図９は図８で説明したテレビチャンネルの設定方法の、パーソナルコンピュータ本体側のチャンネル設定手順を示すフローチャートである。
【図１０】ＡからＣはパーソナルコンピュータにおけるビデオ信号を示しており、Ａはテレビ画像を表示する機能を備えたディスプレイに送られる垂直同期信号の波形を示す波形図、Ｂはテレビ画像を表示する機能を備えたディスプレイに送られる水平同期信号の波形を示す波形図、及びＣはテレビ画像を表示する機能を備えたディスプレイに送られるＲＧＢ信号の垂直ブランキング期間にチャンネル設定データを重畳させた時のＲＧＢ信号の波形を示す波形図であり、Ｄはテレビジョンのビデオ信号にチャンネル設定データを重畳させた場合のビデオ信号の波形を示す波形図である。
【符号の説明】
【００６１】
１    ＰＣ（パーソナルコンピュータ本体）
２    ディスプレイ
１１，２１    ＴＶチューナ
１６    第１の記憶媒体
２６    第２の記憶媒体
３０    第１のコントローラ
３１    チャンネル設定検出回路
３２    チャンネル設定データ読出回路
３３    チャンネル設定データ書込回路
４０    第２のコントローラ
４１    チャンネル設定データ書込回路
【図１】
2007209015.tif 000003
【図２】
2007209015.tif 000004
【図３Ａ】
2007209015.tif 000005
【図３Ｂ】
2007209015.tif 000006
【図４】
2007209015.tif 000007
【図５】
2007209015.tif 000008
【図６】
2007209015.tif 000009
【図７】
2007209015.tif 000010
【図８】
2007209015.tif 000011
【図９】
2007209015.tif 000012
【図１０】
2007209015.tif 000013